(57)【要約】【課題】  産業廃棄物の種類に応じて収集運搬業者と処理業者とを最適な組み合わせで容易に選定することのできる産業廃棄物処理支援システム、管理サーバーおよび産業廃棄物処理支援プログラムを提供する。【解決手段】  管理サーバー１２において、契約グループ情報マッチング処理部３７が廃棄物情報と収集運搬業者情報と処理業者情報とをマッチング（関連付け）して契約グループ情報を生成し、契約グループ情報を契約グループ情報データベース３８に登録しておき、ユーザー端末１３−１〜１３−ｎにおいて、契約グループ情報選択／取得部５２が契約グループ情報データベース３８に記憶されている契約グループ情報の中からユーザーが入力した廃棄対象の廃棄物を扱うことのできる契約グループ情報を表示する。【選択図】図１
2010231409.tif 000002
【特許請求の範囲】
【請求項１】
システム全体を統括管理する管理サーバーと、当該管理サーバーと通信回線を介して接続された複数のユーザー端末と、を備え、
前記管理サーバーは、
ユーザーの指示入力に応じて、廃棄物収集運搬業者との契約に係る廃棄物収集運搬業者情報、廃棄物処理業者との契約に係る廃棄物処理業者情報、および廃棄物に係る廃棄物情報を取得する情報取得手段と、
前記情報取得手段によって取得された、前記廃棄物収集運搬業者情報、前記廃棄物処理業者情報、および前記廃棄物情報を関連付けて契約グループ情報を生成する契約グループ情報生成手段と、
前記契約グループ情報生成手段によって生成された前記契約グループ情報を記憶する契約グループ情報記憶手段と、
前記契約グループ情報記憶手段に記憶されている前記契約グループ情報の中から、前記ユーザー端末から前記通信回線を介して受信した廃棄対象の廃棄物に係る廃棄物情報に対応する契約グループ情報を取得し、取得した当該廃棄物情報に対応する契約グループ情報を前記通信回線を介して前記ユーザー端末に送信する契約グループ情報取得送信手段と、を備え、
前記ユーザー端末は、
前記廃棄対象の廃棄物に係る廃棄物情報を入力する廃棄物情報入力手段と、
前記廃棄物情報入力手段によって入力された前記廃棄対象の廃棄物に係る廃棄物情報を前記通信回線を介して前記管理サーバーに送信する廃棄物情報送信手段と、
前記管理サーバーから前記通信回線を介して受信した前記廃棄物情報に対応する契約グループ情報を出力する契約グループ情報出力手段と、
を備えることを特徴とする産業廃棄物処理支援システム。
【請求項２】
前記管理サーバーは、
前記ユーザー端末から前記通信回線を介して受信した任意の契約グループ情報に、前記ユーザー端末から前記通信回線を介して受信した前記廃棄物収集運搬業者および前記廃棄物処理業者との前記廃棄物の処理依頼契約に係る廃棄依頼情報を関連付けて契約情報を生成する契約情報生成手段と、
前記契約情報生成手段によって生成された前記契約情報に基づいて、前記廃棄物の廃棄管理に係るマニフェスト情報を生成するマニフェスト情報生成手段と、を備え、
前記ユーザー端末は、
前記ユーザーの指示入力に応じて、前記管理サーバーから前記通信回線を介して受信した前記契約グループ情報の中から前記任意の契約グループ情報を選定し、選定した当該任意の契約グループ情報を前記通信回線を介して前記管理サーバーに送信する契約グループ情報選定送信手段と、
前記廃棄依頼情報を入力する廃棄依頼情報入力手段と、
前記廃棄依頼情報入力手段によって入力された当該廃棄依頼情報を前記通信回線を介して前記管理サーバーに送信する廃棄依頼情報送信手段を備えることを特徴とする請求項１記載の産業廃棄物処理支援システム。
【請求項３】
前記管理サーバーは、
前記契約情報の契約満了期限日および前記マニフェスト情報の返却期限日に係る期限情報を前記通信回線を介して前記ユーザー端末に送信する期限情報送信手段を備え、
前記ユーザー端末は、
前記管理サーバーから前記通信回線を介して受信した前記期限情報を前記ユーザーに対して出力する期限情報出力手段を備えることを特徴とする請求項１または２記載の産業廃棄物処理支援システム。
【請求項４】
システム全体を統括管理する管理サーバーと、当該管理サーバーと通信回線を介して接続された複数のユーザー端末と、を備える産業廃棄物処理支援システムに用いられる、前記管理サーバーであって、
ユーザーの指示入力に応じて、廃棄物収集運搬業者との契約に係る廃棄物収集運搬業者情報、廃棄物処理業者との契約に係る廃棄物処理業者情報、および廃棄物に係る廃棄物情報を取得する情報取得手段と、
前記情報取得手段によって取得された、前記廃棄物収集運搬業者情報、前記廃棄物処理業者情報、および前記廃棄物情報を関連付けて契約グループ情報を生成する契約グループ情報生成手段と、
前記契約グループ情報生成手段によって生成された前記契約グループ情報を記憶する契約グループ情報記憶手段と、
前記契約グループ情報記憶手段に記憶されている前記契約グループ情報の中から、前記ユーザー端末から前記通信回線を介して受信した廃棄対象の廃棄物に係る廃棄物情報に対応する契約グループ情報を取得し、取得した当該廃棄物情報に対応する契約グループ情報を前記通信回線を介して前記ユーザー端末に送信する契約グループ情報取得送信手段と、
を備えることを特徴とする管理サーバー。
【請求項５】
システム全体を統括管理する管理サーバーと、当該管理サーバーと通信回線を介して接続された複数のユーザー端末と、を備える産業廃棄物処理支援システムにおける、前記管理サーバーで用いられる産業廃棄物処理支援プログラムであって、
ユーザーの指示入力に応じて、廃棄物収集運搬業者との契約に係る廃棄物収集運搬業者情報、廃棄物処理業者との契約に係る廃棄物処理業者情報、および廃棄物に係る廃棄物情報を取得する情報取得ステップと、
前記情報取得ステップによって取得された、前記廃棄物収集運搬業者情報、前記廃棄物処理業者情報、および前記廃棄物情報を関連付けて契約グループ情報を生成する契約グループ情報生成ステップと、
前記契約グループ情報生成ステップによって生成された前記契約グループ情報を記憶する契約グループ情報記憶ステップと、
前記契約グループ情報記憶ステップによって記憶された前記契約グループ情報の中から、前記ユーザー端末から前記通信回線を介して受信した廃棄対象の廃棄物に係る廃棄物情報に対応する契約グループ情報を取得し、取得した当該廃棄物情報に対応する契約グループ情報を前記通信回線を介して前記ユーザー端末に送信する契約グループ情報取得送信ステップとを有する処理をコンピュータに実行させるための産業廃棄物処理支援プログラム。
【発明の詳細な説明】
【技術分野】
【０００１】
本発明は、産業廃棄物処理支援システム、管理サーバーおよび産業廃棄物処理支援プログラムに関し、特に産業廃棄物処理業者の選定を行う産業廃棄物処理支援システム、管理サーバーおよび産業廃棄物処理支援プログラムに関する。
【背景技術】
【０００２】
生産工場などの事業所から排出される廃棄物は、産業廃棄物として法令や自治体の条例等に基づいて、産業廃棄物を専門に取り扱う廃棄物処理業者によって処理される。ところが、それらの処理業者は、一般的に産業廃棄物を収集・運搬する収集運搬業者と、産業廃棄物を処理する処理業者とに分かれている。このため、産業廃棄物を排出する排出業者は、廃棄物の種類に応じた収集運搬業者と処理業者とを選定し、各業者との間で収集運搬委託契約と処分委託契約とを締結する必要がある。
上記の委託契約を締結する際、幾つかの法令や条例等に全て適合するように収集運搬業者と処理業者とを選定する必要がある。故に、排出業者は、一組の収集運搬委託契約と処分委託契約とで、なるべく多くの種類の産業廃棄物を収集・運搬・処理することのできるように、委託契約を締結することが多い。
【０００３】
例えば、特許文献１に記載の建設廃棄物処理支援装置及び建設廃棄物処理支援用プログラムにおいては、業者毎に収集・運搬および処理することができる産業廃棄物の種類を登録しておく。これにより、産業廃棄物の種類が適合している収集運搬業者と処理業者とを選定することができる。
また、特許文献２に記載の産業廃棄物管理システムにおいては、収集運搬業者が運営するサーバーにおいて、排出業者から提示された契約情報が適法であるか否かを判定する。これにより、排出業者は廃棄物処理規制に適合した契約を確実かつ容易に作成することができる。
【先行技術文献】
【特許文献】
【０００４】
【特許文献１】特開２００８−４０９９３号公報
【特許文献２】特開２００６−３６３６９号公報
【発明の概要】
【発明が解決しようとする課題】
【０００５】
しかしながら、産業廃棄物には様々な形状や性状のものがある。単に大きさや素材のみならず、臭気の有無や、油分の含有量、ＰＨ値等で詳細に分類すると、２００種類を超える廃棄物がある。これらの廃棄物の中には有毒性や発火性等があるものもあり、十分配慮して廃棄物を分類しなければならない。従って、排出業者は廃棄物を廃棄する際に、大量の廃棄物の種類を考慮した上で、各法令や条例等に適合している収集運搬業者と処理業者とを選定する必要がある。
ところが、特許文献１に記載の建設廃棄物処理支援装置及び建設廃棄物処理支援用プログラムは収集・運搬および処理することができる産業廃棄物の種類のみを登録しておくものであるため、この支援装置を用いて業者を選定した際に、産業廃棄物の種類については処理規制に適合していても、廃棄物の種類以外については処理規制に適合していない組み合わせの事業者が選定される場合があった。
【０００６】
一方で、上記の収集運搬委託契約には、処理業者が有する積込所在地と最終運搬目的地の２つの収集運搬許可証とを盛り込む必要がある。従って、工場の所在地と処理業者の所在地とを考慮した上で収集運搬業者と処理業者とを選定する必要がある。
ところが、特許文献２に記載の産業廃棄物管理システムを用いて業者を選定した際にも、排出業者や処理業者の所在地等や廃棄物の詳細な種類を選定条件にして業者を選定するシステムではないため、契約内容は処理規制に適合していても、積込所在地と最終運搬目的地とが適合している最適な業者同士を選定することができない場合があった。
【０００７】
故に、排出業者にとって、廃棄物処理業者を選定する際に非常に多く手間とコストを要した。特に、工場を広域に複数もつ排出業者にとっては、廃棄物を処理する際に非常に多くの業者の組み合わせを確認した上で、収集運搬業者と処理業者とを選定する必要があった。
そこで、本発明は、上記の課題に鑑み、排出業者が産業廃棄物の種類に応じて収集運搬業者と処理業者とを最適な組み合わせで容易に選定することのできる産業廃棄物処理支援システム、管理サーバーおよび産業廃棄物処理支援プログラムを提供することを目的とする。
【課題を解決するための手段】
【０００８】
本発明に係る産業廃棄物処理支援システムは、上記の目的を達成するために、次のように構成される。
本発明に係る第１の産業廃棄物処理支援システムは、システム全体を統括管理する管理サーバーと、当該管理サーバーと通信回線を介して接続された複数のユーザー端末と、を備え、管理サーバーは、ユーザーの指示入力に応じて、廃棄物収集運搬業者との契約に係る廃棄物収集運搬業者情報、廃棄物処理業者との契約に係る廃棄物処理業者情報、および廃棄物に係る廃棄物情報を取得する情報取得手段と、情報取得手段によって取得された、廃棄物収集運搬業者情報、廃棄物処理業者情報、および廃棄物情報を関連付けて契約グループ情報を生成する契約グループ情報生成手段と、契約グループ情報生成手段によって生成された契約グループ情報を記憶する契約グループ情報記憶手段と、契約グループ情報記憶手段に記憶されている契約グループ情報の中から、ユーザー端末から通信回線を介して受信した廃棄対象の廃棄物に係る廃棄物情報に対応する契約グループ情報を取得し、取得した当該廃棄物情報に対応する契約グループ情報を通信回線を介してユーザー端末に送信する契約グループ情報取得送信手段と、を備え、ユーザー端末は、廃棄対象の廃棄物に係る廃棄物情報を入力する廃棄物情報入力手段と、廃棄物情報入力手段によって入力された廃棄対象の廃棄物に係る廃棄物情報を通信回線を介して管理サーバーに送信する廃棄物情報送信手段と、管理サーバーから通信回線を介して受信した廃棄物情報に対応する契約グループ情報を出力する契約グループ情報出力手段と、を備えることを特徴とする。
【０００９】
つまり、第１の産業廃棄物処理支援システムによれば、管理サーバーにおいて、廃棄物の処理の有無に関わらず、廃棄物を収集・運搬・処理することのできる廃棄物収集運搬業者情報および廃棄物処理業者情報を契約グループ情報として予めマッチングしておくため、ユーザーがユーザー端末において産業廃棄物の種類を入力すれば、管理サーバー側で契約グループ情報の中から産業廃棄物の種類に対応する契約グループ情報をのみを取得し、ユーザー端末側で産業廃棄物の種類に応じた収集運搬業者と処理業者とを最適な組み合わせで容易に選定することが可能となる。
【００１０】
本発明に係る第２の産業廃棄物処理支援システムは、管理サーバーは、ユーザー端末から通信回線を介して受信した任意の契約グループ情報に、ユーザー端末から通信回線を介して受信した廃棄物収集運搬業者および廃棄物処理業者との廃棄物の処理依頼契約に係る廃棄依頼情報を関連付けて契約情報を生成する契約情報生成手段と、契約情報生成手段によって生成された契約情報に基づいて、廃棄物の廃棄管理に係るマニフェスト情報を生成するマニフェスト情報生成手段と、を備え、ユーザー端末は、ユーザーの指示入力に応じて、管理サーバーから通信回線を介して受信した契約グループ情報の中から任意の契約グループ情報を選定し、選定した当該任意の契約グループ情報を通信回線を介して管理サーバーに送信する契約グループ情報選定送信手段と、廃棄依頼情報を入力する廃棄依頼情報入力手段と、廃棄依頼情報入力手段によって入力された当該廃棄依頼情報を通信回線を介して管理サーバーに送信する廃棄依頼情報送信手段を備えることを特徴とする。
【００１１】
第２の産業廃棄物処理支援システムによれば、例えば廃棄物の搬出希望日、廃棄物の形状・性状等の廃棄物収集運搬業者および廃棄物処理業者との廃棄物処理依頼契約に係る廃棄依頼情報、およびマニフェストに記載すべき廃棄処理実績等のマニフェスト情報を契約グループ情報と併せて契約グループ情報データベースに一元管理することが可能となる。
本発明に係る第３の産業廃棄物処理支援システムは、管理サーバーは、契約情報の契約満了期限日およびマニフェスト情報の返却期限日に係る期限情報を通信回線を介してユーザー端末に送信する期限情報送信手段を備え、ユーザー端末は、管理サーバーから通信回線を介して受信した期限情報をユーザーに対して出力する期限情報出力手段を備えることを特徴とする。
第３の産業廃棄物処理支援システムによれば、上記の各情報のうち契約情報の契約満了期限日およびマニフェスト情報の返却期限日に係る期限情報を、ウインドウ上のポップアップや、インターネットメール等により出力することが可能となる。このため、ユーザーは各種期限日を確実に把握することができる。
【００１２】
本発明に係る管理サーバーは、システム全体を統括管理する管理サーバーと、当該管理サーバーと通信回線を介して接続された複数のユーザー端末と、を備える産業廃棄物処理支援システムに用いられる、管理サーバーであって、ユーザーの指示入力に応じて、廃棄物収集運搬業者との契約に係る廃棄物収集運搬業者情報、廃棄物処理業者との契約に係る廃棄物処理業者情報、および廃棄物に係る廃棄物情報を取得する情報取得手段と、情報取得手段によって取得された、廃棄物収集運搬業者情報、廃棄物処理業者情報、および廃棄物情報を関連付けて契約グループ情報を生成する契約グループ情報生成手段と、契約グループ情報生成手段によって生成された契約グループ情報を記憶する契約グループ情報記憶手段と、契約グループ情報記憶手段に記憶されている契約グループ情報の中から、ユーザー端末から通信回線を介して受信した廃棄対象の廃棄物に係る廃棄物情報に対応する契約グループ情報を取得し、取得した当該廃棄物情報に対応する契約グループ情報を通信回線を介してユーザー端末に送信する契約グループ情報取得送信手段と、を備えることを特徴とする。
本発明に係る管理サーバーによれば、第１の産業廃棄物処理支援システムを構成する管理サーバーと同様の作用が得られる。
【００１３】
本発明に係る産業廃棄物処理支援プログラムは、システム全体を統括管理する管理サーバーと、当該管理サーバーと通信回線を介して接続された複数のユーザー端末と、を備える産業廃棄物処理支援システムにおける、管理サーバーで用いられる産業廃棄物処理支援プログラムであって、ユーザーの指示入力に応じて、廃棄物収集運搬業者との契約に係る廃棄物収集運搬業者情報、廃棄物処理業者との契約に係る廃棄物処理業者情報、および廃棄物に係る廃棄物情報を取得する情報取得ステップと、情報取得ステップによって取得された、廃棄物収集運搬業者情報、廃棄物処理業者情報、および廃棄物情報を関連付けて契約グループ情報を生成する契約グループ情報生成ステップと、契約グループ情報生成ステップによって生成された契約グループ情報を記憶する契約グループ情報記憶ステップと、契約グループ情報記憶ステップによって記憶された契約グループ情報の中から、ユーザー端末から通信回線を介して受信した廃棄対象の廃棄物に係る廃棄物情報に対応する契約グループ情報を取得し、取得した当該廃棄物情報に対応する契約グループ情報を通信回線を介してユーザー端末に送信する契約グループ情報取得送信ステップとを有する処理をコンピュータに実行させるためのプログラムである。
本発明に係る産業廃棄物処理支援プログラムによれば、コンピュータがプログラムに従って各処理を実行すると、第１の産業廃棄物処理支援システムを構成する管理サーバーと同様の作用が得られる。
【発明の効果】
【００１４】
本発明に係る第１の産業廃棄物処理支援システムによれば、管理サーバー側に契約グループ情報を一度確立しておけば、排出業者が契約グループ情報の中から産業廃棄物の種類に応じた収集運搬業者と処理業者とを最適な組み合わせで容易に選定することができる。
特に、過去に処理実績のある同じ種類の廃棄物を再度廃棄するときや、複数の事業所から同一の種類の廃棄物を処理するときであれば、確実に処理を行うことができる。また、処理実績が無い廃棄物を処理する必要が生じたときであっても、廃棄物の種類を特定した上で契約グループ情報を検索すれば、その廃棄物を処理することが可能であるか否かをユーザーに対して即時に把握させることができる。
【００１５】
さらに、同じ種類の廃棄物を複数の廃棄物業者を用いて処理する場合には、契約グループ情報を複数の契約グループ情報で確立して、排出業者が管理を混同させずに円滑に行うことができる。
また、本発明に係る第２の産業廃棄物処理支援システムによれば、契約グループ情報を基にして、多数のマニフェストや契約書の発行や返却、保管、進捗管理等を容易に行うことができる。特に、契約グループ情報を基にして一元管理をしているため、マニフェストや契約書の紛失や改ざんを防止して廃棄物を適正にかつ効率良く処理することができる。
【００１６】
また、本発明に係る第３の産業廃棄物処理支援システムによれば、契約グループ情報を基にして一元管理されている契約書やマニフェスト等の更新手続き等を、期限日に近いものから効率良く行うことができる。契約書やマニフェスト等が多数であっても、これらの期限管理に要する手間やコストを大幅に削減することができる。
また、本発明に係る管理サーバーおよび産業廃棄物処理支援プログラムによっても、第１の産業廃棄物処理支援システムと同様の効果を奏する。
【図面の簡単な説明】
【００１７】
【図１】、本発明に係る廃棄物処理支援システムの構成を示すネットワーク図である。
【図２】管理サーバーのハードウエア構成を示すブロック図である。
【図３】管理サーバーの機能構成を示すブロック図である。
【図４】ユーザー端末の機能構成を示すブロック図である。
【図５】管理サーバーおよびユーザー端末における廃棄物処理支援に係る一連の処理の流れを示すシーケンス図である。
【図６】管理サーバーにおけるマスタデータ登録処理の流れを示すフローチャートである。
【図７】管理サーバーにおける契約グループ登録処理の流れを示すフローチャートである。
【図８】管理サーバーにおける契約グループ登録処理時の入力画面イメージである。
【図９】ユーザー端末における廃棄物情報入力処理の流れを示すフローチャートである。
【図１０】ユーザー端末における廃棄物情報入力処理時の入力画面イメージである。
【図１１】管理サーバーにおける契約グループ情報取得処理の流れを示すフローチャートである。
【図１２】ユーザー端末における契約グループ情報選択処理の流れを示すフローチャートである。
【図１３】ユーザー端末における契約グループ情報選択処理時の入力画面イメージである。
【図１４】ユーザー端末における契約グループ情報選択処理時の入力画面イメージである。
【図１５】管理サーバーにおける契約情報登録処理の流れを示すフローチャートである。
【図１６】管理サーバーにおけるマニフェスト発行処理の流れを示すフローチャートである。
【発明を実施するための形態】
【００１８】
以下に、本発明の好適な実施形態（実施例）を添付図面に基づいて説明する。
まず、図１を参照して、本発明に係る廃棄物処理支援システム１０の構成を説明する。
図１は、本発明に係る廃棄物処理支援システム１０の構成を示すネットワーク図である。
図１に示した廃棄物処理支援システム１０は、ＬＡＮ１１、管理サーバー１２、複数のユーザー端末１３−１〜１３−ｎを備える。
ＬＡＮ１１は、例えばイーサーネット等で構築された構内通信ネットワークである。ＬＡＮ１１は、産業廃棄物を排出する排出業者の事業所内に敷設され、その構内において通信可能である。また、ＬＡＮ１１をインターネット等に接続すれば、事業所内外で通信することも可能である。
【００１９】
管理サーバー１２は、廃棄物処理支援のサービスを提供するアプリケーションサーバーである。管理サーバー１２は、ＬＡＮ１１に接続されてシステム全体を統括管理し、主にシステム管理者が使用する。
複数のユーザー端末１３−１〜１３−ｎは、廃棄物処理支援のサービスを利用するためのユーザー用の端末である。複数のユーザー端末１３−１〜１３−ｎは、ＬＡＮ１１に接続される。
具体的に、本サービスは、ユーザー権限をもつ従業員等のみがログイン可能な社内専用サイトの一サービスとして提供される。そして、本サービスはユーザー端末１３−１〜１３−ｎから管理サーバー１２にログインして利用することを想定している。
なお、図示しないが、上記の管理サーバー１２および複数のユーザー端末１３−１〜１３−ｎは、ルーターやＤＮＳサーバー装置等を介してＬＡＮ１１に接続される。
【００２０】
続いて、図２を参照して、産業廃棄物処理支援のサービスを提供する管理サーバー１２およびユーザー端末１３のハードウエア構成を説明する。図２は、管理サーバー１２のハードウエア構成を示すブロック図である。
管理サーバー１２は、図２に示すように、バス２１、ＣＰＵ２２、入力装置２３、表示装置２４、主記憶装置２５、補助記憶装置２６、通信処理部２７およびプリンタ２８を備えて構成される。
バス２１は、各構成要部と接続され、データおよび制御信号を送受信するものである。
ＣＰＵ２２は、各構成要部を統括して動作を制御するものである。
入力装置２３は、ユーザーがデータを入力するためのキーボードやマウス等を備えて構成される。
【００２１】
表示装置２４は、ユーザーに対してデータや処理結果等を表示出力するためのＣＲＴやＬＣＤディスプレイ等を備えて構成される。
主記憶装置２５は、例えばＤＲＡＭ等のデータを一時的に記憶するメモリである。
補助記憶装置２６は、ハードディスクドライブ（ＨＤＤ）装置等のデータを保存する記憶デバイスである。
通信処理部２７は、ＬＡＮ１１に接続された他の端末と規定の通信プロトコルで通信を行うものである。
プリンタ２８は、例えばレーザプリンタや熱転写プリンタ等のデータや伝票等を印刷するものである。
なお、ユーザー端末１３についても、管理サーバー１２と実質同様の構成を備えて構成される。このため、ユーザー端末１３の構成については、説明を省略する。
【００２２】
続いて、図３を参照して、管理サーバー１２の機能構成を説明する。図３は、管理サーバー１２の機能構成を示すブロック図である。
管理サーバー１２は、図３に示すように、廃棄物情報データベース３１と収集運搬業者情報データベース３２と処理業者情報データベース３３とからなるデータベース部、廃棄物情報登録／取得部３４と収集運搬業者情報登録／取得部３５と処理業者情報登録／取得処理部３６とからなる情報取得手段、契約グループ情報マッチング処理部３７、契約グループ情報データベース３８、契約グループ情報登録／取得部３９、廃棄依頼情報管理処理部４０、付加情報マッチング処理部４１、マニフェスト管理処理部４２、および期限管理処理部４３の各機能を備えて構成される。
【００２３】
廃棄物情報データベース３１は、廃棄物の属性情報である廃棄物情報を記憶するデータベースである。廃棄物情報のレコードは、例えば廃棄物の名称を示す廃棄物名フィールド、廃棄物の種類を示す種類フィールド、および廃棄物の分類（産業廃棄物または特別産業廃棄物）を示す分類フィールド等から構成される。
収集運搬業者情報データベース３２は、収集運搬業者の属性情報である収集運搬業者情報を記憶するデータベースである。収集運搬業者情報のレコードは、例えば契約書の番号を示す契約書番号フィールド、委託事業者の名称を示す委託事業者名フィールド、廃棄物収集運搬業の許可番号を示す廃棄物収集運搬業許可番号フィールド、および廃棄物収集運搬業の許可の有効期限を示す廃棄物収集運搬業有効期限フィールド等から構成される。
【００２４】
処理業者情報データベース３３は、処理業者の属性情報である処理業者情報を記憶するデータベースである。処理業者情報のレコードは、例えば契約書の通番を示す契約書番号フィールド、委託事業者の名称を示す委託事業者名フィールド、廃棄物処理業の許可番号を示す廃棄物処理業許可番号フィールド、および廃棄物処理業の許可の有効期限を示す廃棄物処理業有効期限フィールド等から構成される。
廃棄物情報登録／取得部３４は、廃棄物情報データベース３１に廃棄物情報を登録する処理を行う。また、廃棄物情報登録／取得部３４は、廃棄物情報データベース３１から廃棄物情報を取得する処理を行う。
【００２５】
収集運搬業者情報登録／取得部３５は、収集運搬業者情報を収集運搬業者情報データベース３２に登録する処理を行う。また、収集運搬業者情報データベース３２から収集運搬業者情報を取得する処理を行う。
処理業者情報登録／取得処理部３６は、処理業者情報データベース３３に処理業者情報を登録する処理を行う。また、処理業者情報データベース３３から処理業者情報を取得する処理を行う。
契約グループ情報マッチング処理部３７は、ユーザーからの指示に応じて廃棄物情報と収集運搬業者情報と処理業者情報とをマッチング（関連付け）して契約グループ情報を生成し、契約グループ情報を契約グループ情報データベース３８に登録する処理を行う。
【００２６】
契約グループ情報データベース３８は、契約グループ情報マッチング処理部３７のマッチング処理によって生成された契約グループ情報を記憶するデータベースである。契約グループ情報のレコードは、例えば処理契約グループの通番を示す処理契約グループＮｏ．フィールド、マッチングされている廃棄物情報のレコードの主キーフィールド、収集運搬業者情報のレコードの主キーフィールドおよび処理業者情報のレコードの主キーフィールド等から構成される。
契約グループ情報登録／取得部３９は、契約グループ情報データベース３８に記憶された契約グループ情報の中から指定された条件に該当する契約グループ情報を取得する。例えば、契約グループ情報登録／取得部３９は、契約グループ情報の中から廃棄物情報に対応する契約グループ情報を取得する。
【００２７】
廃棄依頼情報管理処理部４０は、ユーザーが入力した廃棄物の依頼に関する情報を廃棄依頼情報として取得して管理する。廃棄依頼情報は、例えば廃棄物の搬出希望日、廃棄物の形状・性状、廃棄物の保管場所等のユーザーから入力する任意の情報である。
付加情報マッチング処理部４１は、ユーザーからの指示に応じて契約グループ情報と、その契約グループ情報に関連した情報とをマッチングして契約グループ情報データベース３８に登録する。契約グループ情報とマッチングされた情報は、契約グループ情報の付加情報となる。例えば、付加情報マッチング処理部４１は、契約グループ情報と廃棄依頼情報管理処理部４０によって取得された廃棄依頼情報とをマッチングする。
【００２８】
マニフェスト管理処理部４２は、上記の契約グループ情報および廃棄依頼情報に基づいて、廃棄物の廃棄管理に係るマニフェスト（管理伝票）を発行、管理等の処理を行う。マニフェスト管理処理部４２は、契約グループ情報および廃棄依頼情報に基づいてマニフェストの発行日、マニフェストの通番、廃棄物名等のマニフェストを発行するために必要なマニフェスト情報を生成して、管理サーバー１２からユーザー端末１３に送信する。マニフェストは、マニフェスト情報を基にユーザー端末１３のプリンタ２８から紙媒体のマニフェスト伝票として出力される。また、マニフェスト管理処理部４２は、廃棄管理や行政への報告のためにマニフェストを返却するまでの間、マニフェストに記載すべき廃棄処理日等の廃棄処理実績もマニフェスト情報として管理する。
なお、管理サーバー１２と、マニフェストを管理する管理事業者の管理サーバーとをインターネット等を介して接続しても良い。これにより、オンラインでマニフェスト情報を送受信して電子マニフェストを発行、管理等を行うこともできる。
【００２９】
期限管理処理部４３は、契約グループ情報や契約グループ情報に付加情報としてマッチングされた情報のうちの期限日を示す期限情報が設定されたフィールド（例えば、「ＹＹＹＹＭＭＤＤ」の日付型データのフィールド）の期限管理処理を行う。期限日フィールドは、例えば廃棄物収集運搬業者または廃棄物処理業者との契約の満了日を示す契約満了日フィールド、廃棄物搬入届出の満了日を示す廃棄物搬入届出満了日フィールド、および収集運搬許可証の満了日を示す収集運搬許可証満了日フィールド等である。また、上述したマニフェスト情報には、行政への報告のためにマニフェストを返却する期限日を示すマニフェスト返却期限日フィールドがある。
期限管理処理部４３は、期限が到来すると上記の期限情報を通知する期限通知処理を行う。通知方法としては、例えば管理サーバー１２が、ユーザー端末１３のアプリケーションのウインドウ上に通知表示をポップアップさせて通知しても良い。また、インターネットメールを用いて、管理サーバー１２からシステム管理者や対象のユーザー宛に通知することも可能である。
【００３０】
なお、オンラインで更新データを入手可能であれば、期限管理処理部４３は期限が到来した際に自動でデータ更新処理を実行するように構成することもできる。また、通知や更新処理は、期限日の当日、何日前または何日後に実行するかを期限管理処理部４３に設定することができるように構成しておくと利便性が高い。
上記の各処理部の機能は、実行形式プログラムのモジュールコンポーネントとして提供される。プログラムは、サーバーＯＳやインターネットサーバーアプリケーション等と併せてハードディスク装置等にインストールされる。そして、プログラムは、サーバーアプリケーション上のユーザーアプリケーションとして動作する。
【００３１】
続いて、図４を参照して、ユーザー端末１３の機能構成を説明する。図４は、ユーザー端末１３の機能構成を示すブロック図である。
ユーザー端末１３は、図４に示すように、廃棄物情報選択／取得部５１、契約グループ情報選択／取得部５２、廃棄依頼情報選択／取得部５３および期限管理通知取得部５４の各機能を備えて構成される。
廃棄物情報選択／取得部５１は、管理サーバー１２から取得した廃棄物情報を表示装置２４に表示する処理を行う。また、廃棄物情報選択／取得部５１は、入力装置２３を介してユーザーが入力・選択した任意の廃棄物情報を取得する処理を行う。
契約グループ情報選択／取得部５２は、管理サーバー１２から取得した契約グループ情報を表示装置２４に表示する処理を行う。また、契約グループ情報選択／取得部５２は、入力装置２３を介してユーザーが選択した任意の契約グループ情報を取得する処理を行う。
【００３２】
廃棄依頼情報選択／取得部５３は、入力装置２３を介してユーザーが入力・選択した任意の契約グループ情報を取得する処理を行う。
期限管理通知取得部５４は、管理サーバー１２の期限管理処理部４３からの期限通知を受信し、出力する処理を行う。上述したように、期限通知はウインドウ上のポップアップや、インターネットメール等を用いて行うことができる。
ここで、図５を参照して、管理サーバー１２およびユーザー端末１３における廃棄物処理支援に係る一連の処理の流れを説明する。図５は、管理サーバー１２およびユーザー端末１３における廃棄物処理支援に係る一連の処理の流れを示すシーケンス図である。
【００３３】
まず、ユーザーがユーザー端末１３から管理サーバー１２にログインする前に、管理サーバー１２において以下の処理が行われる。
管理サーバー１２は、管理者等によって入力装置２３を介して入力された廃棄物情報、収集運搬業者情報および処理業者情報を、廃棄物情報データベース３１、収集運搬業者情報データベース３２、および処理業者情報データベース３３にそれぞれ登録するマスタデータ登録処理を行う（ステップＳ１０１）。
【００３４】
次に、管理サーバー１２は、廃棄物情報と収集運搬業者情報と処理業者情報とをマッチングして契約グループ情報を登録する契約グループ登録処理を行う（ステップＳ１０２）。
なお、ステップＳ１０１のマスタデータ登録処理、およびステップＳ１０２の契約グループ登録処理は、データの追加・修正・削除が発生したときに管理者等によって随時実行させることができる。
【００３５】
続いて、ユーザー端末１３は、ユーザーが管理サーバー１２にログインするためのログイン情報を入力する処理を行う（ステップＳ１０３）。
管理サーバー１２は、ログイン処理完了後に、ユーザー端末１３に対して廃棄物情報の一覧を出力する廃棄物情報一覧出力処理を実行する（ステップＳ１０４）。ユーザー端末１３は、ユーザーに対して、廃棄物情報の一覧の中から廃棄すべき廃棄物に対応する廃棄物情報を入力させる廃棄物情報入力処理を実行する（ステップＳ１０５）。
管理サーバー１２は、廃棄物情報入力処理により入力された廃棄物情報を取得する。そして、管理サーバー１２は、契約グループ情報の中から、廃棄物情報に対応する契約グループ情報を取得する契約グループ情報取得処理を実行する（ステップＳ１０６）。ここで、管理サーバー１２からユーザー端末１３に対して、廃棄物情報に対応する契約グループ情報が送信される。
【００３６】
続いて、ユーザー端末１３は、管理サーバー１２から送信された契約グループ情報グループの中から、ユーザーが選択した契約グループ情報を送信する情報選択処理を実行する（ステップＳ１０７）。また、ユーザー端末１３は、契約グループ情報選択処理において、ユーザーが入力した廃棄物の依頼に関する情報として廃棄依頼情報を契約グループ情報と一緒に送信する。
管理サーバー１２は、契約グループ情報に、付加情報として廃棄依頼情報をマッチングさせて契約情報として登録する契約情報登録処理を実行する（ステップＳ１０８）。
【００３７】
また、管理サーバー１２の期限管理処理部４３は、契約情報登録処理で登録された契約情報のうちの各種期限日について期限管理を開始する（ステップＳ１０９）。なお、管理サーバー１２の期限管理処理部４３は、ステップＳ１０９以降で契約情報のうちの各種期限日が到来したときに、破線で示すようにユーザー端末１３の期限管理通知取得部５４に対して期限日が到来したことを通知する。
さらに、ユーザー端末１３は、ユーザーの操作に基づいて上述したマニフェスト情報を発行する指示を出力する（ステップＳ１１０）。管理サーバー１２は、ユーザー端末１３からのマニフェスト発行指示を受け取ると、契約情報に基づいてマニフェスト情報を発行するマニフェスト発行処理を実行する（ステップＳ１１１）。ここで、管理サーバー１２からユーザー端末１３に対して、マニフェスト情報が送信される。ユーザー端末１３は、管理サーバー１２から発行されたマニフェスト情報を受け取る（ステップＳ１１２）。
【００３８】
また、管理サーバー１２の期限管理処理部４３は、マニフェスト発行処理で発行されたマニフェスト情報のうちの各種期限日について期限管理を開始する（ステップＳ１１３）。なお、管理サーバー１２の期限管理処理部４３は、ステップＳ１１３以降でマニフェスト情報のうちの各種期限日が到来したときに、破線で示すようにユーザー端末１３の期限管理通知取得部５４に対して期限日が到来したことを通知する。
マニフェスト発行後、ユーザー端末１３は、ユーザーの操作に基づいて管理サーバー１２に対して、マニフェストの廃棄処理実績の登録・照会指示を送信する（ステップＳ１１４）。すると、管理サーバー１２は、その指示に基づいてマニフェストの廃棄処理実績の登録処理や照会処理を行い、ユーザー端末１３に対して廃棄処理実績を送信する（ステップＳ１１５）。ユーザー端末１３は、管理サーバー１２から受け取ったマニフェストの廃棄処理実績を表示装置２４やプリンタ２８に出力する（ステップＳ１１６）。
【００３９】
また、ユーザー端末１３は、ユーザーの操作に基づいて行政報告に必要な帳票等を発行するように帳票発行依頼指示を管理サーバー１２に対して出力する（ステップＳ１１７）。管理サーバー１２は、ユーザー端末１３から帳票発行依頼指示を受けると、契約グループ情報やその付加情報を基にして、例えば処理業者、廃棄処理日等が記載された帳票データを生成してユーザー端末１３に送信する（ステップＳ１１８）。ユーザー端末１３は、管理サーバー１２から受け取った帳票情報を表示装置２４やプリンタ２８に出力する（ステップＳ１１９）。
【００４０】
続いて、上記シーケンス図のステップＳ１０１，Ｓ１０２，Ｓ１０４〜Ｓ１０８，Ｓ１１０，Ｓ１１１の定義済み処理について、以下フローチャートを参照して説明する。
最初に、図６を参照して、管理サーバー１２におけるマスタデータ登録処理の流れを説明する。図６は、管理サーバー１２におけるマスタデータ登録処理の流れを示すフローチャートである。
廃棄物情報登録／取得部３４は、ユーザーが入力装置２３を介して入力した廃棄物情報を取得する（ステップＳ２０１）。廃棄物情報登録／取得部３４は、取得した廃棄物情報を廃棄物情報データベース３１に登録する（ステップＳ２０２）。
【００４１】
次に、収集運搬業者情報登録／取得部３５は、ユーザーが入力した収集運搬業者情報を取得する（ステップＳ２０３）。収集運搬業者情報登録／取得部３５は、取得した収集運搬業者情報を収集運搬業者情報データベース３２に登録する（ステップＳ２０４）。
続いて、処理業者情報登録／取得部３６は、ユーザーが入力した処理業者情報を取得する（ステップＳ２０５）。処理業者情報登録／取得部３６は、取得した処理業者情報を処理業者情報データベース３３に登録する（ステップＳ２０６）。
なお、廃棄物情報、収集運搬業者情報および処理業者情報を登録する処理の順番は、上記の処理ステップ順に限定されるものでない。例えば複数の収集運搬業者情報を入力する場合には、上記のステップＳ２０３，Ｓ２０４の処理を交互に繰り返せば、複数のレコードを登録することが可能である。
【００４２】
続いて、図７および図８を参照して、管理サーバー１２における契約グループ登録処理の流れを説明する。図７は、管理サーバー１２における契約グループ登録処理の流れを示すフローチャートである。また、図８は、管理サーバー１２における契約グループ登録処理時の入力画面イメージである。
廃棄物情報登録／取得部３４は、図８に示した入力画面７０で、管理者に対して契約グループ情報としてマッチングする廃棄物情報を入力させる。この入力画面７０では「処理契約グループＮｏ．」、「廃棄物名」をテキストボックス７１ａ，７１ｂに入力させる。また、「廃棄物の分類・種類」をチェックボックス７１ｃ、リストボックス７１ｄから選択させる。
【００４３】
廃棄物情報データベース３１に登録されている廃棄物情報の各フィールドのデータキーワードとして、例えば「汚泥」が入力された場合には（ステップＳ３０１の「ＹＥＳ」の分岐）、廃棄物情報登録／取得部３４は、「汚泥」に関する廃棄物情報のレコードを取得して（ステップＳ３０２）、リストボックス７１ｄに「汚泥」に関する内容（「下水場汚泥」、「浄水場汚泥」、「河川汚泥」等）を表示する。
また、収集運搬業者情報データベース３２に登録されている収集運搬業者情報の各フィールドのデータキーワードとして、例えば「契約処理番号」である「Ｃ００１」がグリッドボックス７２のセル７２ａに入力された場合には（ステップＳ３０３の「ＹＥＳ」の分岐）、収集運搬業者情報登録／取得部３４は、該当する収集運搬業者情報のレコードを取得する（ステップＳ３０４）。そして、「契約処理番号」以外の「委託事業者名」、「事業の範囲」等のセルに取得した収集運搬業者情報を表示する。
【００４４】
なお、「契約処理番号」に限らず、「委託事業者名」等から収集運搬業者情報を検索して取得するようにしても良い。さらには、本画面でセルの表示内容を変更することができるようにしても良い。
同様に、処理業者情報データベース３３に登録されている処理業者情報の各フィールドのデータキーワードとして、例えば「契約処理番号」である「Ｃ００２」がグリッドボックス７２のセル７２ｂに入力された場合には、（ステップＳ３０５の「ＹＥＳ」の分岐）、処理業者情報登録／取得部３６は、該当する処理業者情報のレコードを取得する（ステップＳ３０６）。そして、「契約処理番号」以外の「委託事業者名」、「事業の範囲」等のセルに取得した処理業者情報を表示する。
【００４５】
各部は、登録ボタン７３がクリックされて入力が完了するまで（ステップＳ３０７の「ＮＯ」の分岐）、ステップＳ３０１に戻り、上述した処理を繰り返す。
登録ボタン７３がクリックされて入力が完了すると（ステップＳ３０７の「ＹＥＳ」の分岐）、契約グループ情報マッチング処理部３７は、入力された廃棄物情報と収集運搬業者情報と処理業者情報とを契約グループ情報としてマッチングする（ステップＳ３０８）。加えて、契約グループ情報マッチング処理部３７は、マッチングした契約グループ情報を契約グループ情報データベース３８に登録する（ステップＳ３０９）。
【００４６】
なお、契約グループ情報としてマッチングされる廃棄物情報、収集運搬業者情報および処理業者情報は、それぞれ１つに限定されない。例えば廃棄物量が多い場合には、図示するように１つの廃棄物に対して、１つの収集運搬業者情報と２つ処理業者情報とを契約グループ情報としてマッチングすることもできる。また、複数の廃棄物に対して、複数の収集運搬業者情報と処理業者情報とを契約グループ情報としてマッチングすることができるように構成しても良い。
【００４７】
次に、図９および図１０を参照して、ユーザー端末１３における廃棄物情報入力処理の流れを説明する。図９は、ユーザー端末１３における廃棄物情報入力処理の流れを示すフローチャートである。また、図１０は、ユーザー端末１３における廃棄物情報入力処理時の入力画面イメージである。
廃棄物情報選択／取得部５１は、管理サーバー１２から送信された廃棄物情報の一覧を取得する（ステップＳ４０１）。このとき、端末装置１３の表示装置２４には、図１０に示すような入力画面８０が表示される。
【００４８】
廃棄物情報選択／取得部５１は、取得した廃棄物情報の一覧を入力画面８０のリストボックス８１ａに表示する（ステップＳ４０２）。このとき、ユーザーに対して、廃棄物情報として例えばテキストボックス８１ａに廃棄物名を入力させたり、廃棄物の分類をラジオボタン８１ｂから選択させたりしても良い。
廃棄物情報選択／取得部５１は、ユーザーが入力装置２３を介して、廃棄物情報の一覧の中から任意の廃棄物情報を入力するまで待機する（ステップＳ４０３の「ＮＯ」の分岐）。廃棄物情報が入力され、次画面への遷移ボタン８２がクリックされると（ステップＳ４０３の「ＹＥＳ」の分岐）、次画面に遷移すると共に、廃棄物情報選択／取得部５１は入力された廃棄物情報を管理サーバー１２に送信する（ステップＳ４０４）。
【００４９】
続いて、図１１を参照して、管理サーバー１２における契約グループ情報取得処理の流れを説明する。図１１は、管理サーバー１２における契約グループ情報取得処理の流れを示すフローチャートである。
廃棄物情報登録／取得部３４は、ユーザー端末１３から送信された廃棄物情報を取得する（ステップＳ５０１）。契約グループ情報登録／取得部３９は、取得した廃棄物情報とマッチングされている契約グループ情報のレコードを、契約グループ情報データベース３８から取得する（ステップＳ５０２）。
【００５０】
取得した契約グループ情報のレコードが、ユーザー端末１３から送信された廃棄物情報とマッチングしていない場合には（ステップＳ５０３の「ＮＯ」の分岐）、ステップＳ５０２に戻る。契約グループ情報登録／取得部３９は、同様の手順で次の契約グループ情報のレコードを取得する。
また、取得した契約グループ情報のレコードが、ユーザー端末１３から送信された廃棄物情報とマッチングしている場合には（ステップＳ５０３の「ＹＥＳ」の分岐）、契約グループ情報登録／取得部３９は主記憶装置２５等にその契約グループ情報を一時保持させる（ステップＳ５０４）。
【００５１】
契約グループ情報データベース３８から全ての契約グループ情報のレコードを取得していなければ（ステップＳ５０５の「ＮＯ」の分岐）、ステップＳ５０２に戻り、契約グループ情報登録／取得部３９は同様に処理を繰り返す。また、契約グループ情報登録／取得部３９は、全てレコードを取得したならば（ステップＳ５０５の「ＹＥＳ」の分岐）、廃棄物情報とマッチングされている契約グループ情報のレコードが存在しているかを確認する（ステップＳ５０６）。
上記の検索結果で、廃棄物情報とマッチングしている契約グループ情報のレコードが存在していた場合には（ステップＳ５０６の「ＹＥＳ」の分岐）、契約グループ情報登録／取得部３９はその契約グループ情報の一覧をユーザー端末１３に対して送信して（ステップＳ５０７）、本処理を終了する。
【００５２】
また、契約グループ情報のレコードが存在していなかった場合には（ステップＳ５０６の「ＮＯ」の分岐）、契約グループ情報登録／取得部３９は、ユーザー端末１３に対して、ユーザーが選択した廃棄物情報に対応する契約グループ情報が無い、つまり処理することができない種類の廃棄物である旨を通知して（ステップＳ５０８）、本処理を終了する。
本実施形態に係る廃棄物処理支援システムでは、廃棄物情報、収集運搬業者情報および処理業者情報をマッチングして契約グループとしているので、上記のように事前に契約グループが存在していなければ、廃棄対象の廃棄物を処理することができないことをユーザーに対して即時に把握させることができる。
【００５３】
次に、図１２〜図１４を参照して、ユーザー端末１３における契約グループ情報選択処理の流れを説明する。図１２は、ユーザー端末１３における契約グループ情報選択処理の流れを示すフローチャートである。また、図１３および図１４は、ユーザー端末１３における契約グループ情報選択処理時の入力画面イメージである。
まず、ユーザー端末１３の表示装置２４に、図１３に示したような入力画面９０が表示される。契約グループ情報選択／取得部５２は、管理サーバー１２から送信された契約グループ情報の一覧を取得する（ステップＳ６０１）。契約グループ情報選択／取得部５２は、上のグリッドリスト９１ａ，９１ｂの各セルに取得した複数の契約グループ情報の一覧を表示する（ステップＳ６０２）。
【００５４】
該当する契約グループ情報が複数ある場合には、複数頁に分割して契約グループ情報が表示される。また、契約グループ情報は、ログイン情報からユーザーが所属する事業所を特定して、その事業所周辺の業者が含まれる契約グループ情報のみを表示しても良い。
契約グループ情報選択／取得部５２は、ユーザーが入力装置２３を介して、契約グループ情報の一覧の中から任意の契約グループ情報が選択されるまで待機する（ステップＳ６０３の「ＮＯ」の分岐）。例えば、「処理契約グループＮｏ．００１」を選択するのであれば、ユーザーはチェックボックス９２ａをチェック状態にすれば良い。また、「処理契約グループＮｏ．０２２」を選択するのであれば、ユーザーはチェックボックス９２ｂをチェック状態にすれば良い。ここでは、処理契約グループを１つのみ選択することを前提としているが、廃棄物の処理量等に合わせて契約グループを複数選択することができるように構成しても良い。
【００５５】
契約グループ情報の一覧の中から任意の契約グループ情報が選択され、次画面への遷移ボタン９３がクリックされると（ステップＳ６０３の「ＹＥＳ」の分岐）、契約グループ情報選択／取得部５２は選択された契約グループ情報の主キーを主記憶装置２５に一時保持し（ステップＳ６０４）、図１４に示したような入力画面１００に遷移する。入力画面１００において、同様にユーザーが廃棄依頼情報の項目を入力する。なお、入力項目は廃棄依頼情報の項目の一例であって、これ以外の廃棄依頼情報の入力項目を設けても勿論良い。
【００５６】
廃棄依頼情報選択／取得部５３は、次画面への遷移ボタン１０１がクリックされ、廃棄依頼情報の入力が完了するまで待機する（ステップＳ６０５の「ＮＯ」の分岐）。廃棄依頼情報が入力が完了すると（ステップＳ６０５の「ＹＥＳ」の分岐）、廃棄依頼情報選択／取得部５３は、入力された廃棄依頼情報を主記憶装置２５に一時保持する（ステップＳ６０６）。廃棄物情報選択／取得部５１および廃棄依頼情報選択／取得部５３は、一時保持されている契約グループ情報の主キーと廃棄依頼情報を管理サーバー１２に送信する（ステップＳ６０７）。
本実施形態に係る廃棄物処理支援システムでは、廃棄物情報、収集運搬業者情報および処理業者情報をマッチングして契約グループとしている。このため、上記のように契約グループが存在してれば、ユーザーは任意の契約グループを選択するだけで、廃棄対象の廃棄物を取り扱う収集運搬業者と処理業者とを最適な組み合わせで容易に選定することができる。
【００５７】
続いて、図１５を参照して、管理サーバー１２における契約情報登録処理の流れを説明する。図１５は、管理サーバー１２における契約情報登録処理の流れを示すフローチャートである。
契約グループ情報登録／取得部３９は、ユーザー端末１３から送信された契約グループ情報の主キーを取得する（ステップＳ７０１）。また、廃棄依頼情報登録／取得部４０は、ユーザー端末１３から送信された廃棄依頼情報を取得する（ステップＳ７０２）。
付加情報マッチング処理部４１は、契約グループ情報の主キーに基づいて契約グループ情報データベース３８に記憶されている契約グループ情報に、付加情報として廃棄依頼情報をマッチングさせて登録する（ステップＳ７０３）。
【００５８】
期限管理処理部４３は、契約グループ情報データベース３８に更新された契約グループ情報のうちの契約満了日フィールド、廃棄物搬入届出満了日フィールド、収集運搬許可証満了日フィールド等の各種期限日の期限管理を開始する（ステップＳ７０４）。
本実施形態に係る廃棄物処理支援システムでは、契約グループ情報に付加情報をマッチングすることができるため、上記のように、契約グループ情報に廃棄依頼情報を付加し、契約情報として管理することができる。
また、当該廃棄物処理支援システムでは、契約情報のうち期限日情報の期限が到来する前に、期限管理通知取得部５４がウインドウ上のポップアップや、インターネットメール等により各種期限日が近いことを出力する。このため、ユーザーは各種期限日を確実に把握することができる。
【００５９】
続いて、図１６を参照して、管理サーバー１２におけるマニフェスト発行処理の流れを説明する。図１６は、管理サーバー１２におけるマニフェスト発行処理の流れを示すフローチャートである。
契約グループ情報登録／取得部３９は、ユーザー端末１３から送信されたユーザーが選択した「処理契約グループＮｏ．」の契約グループ情報の主キーを取得する（ステップＳ８０１）。
契約グループ情報登録／取得部３９は、取得した契約グループ情報の主キーに基づいて、契約グループ情報データベース３８から廃棄依頼情報とマッチングされている契約グループ情報のレコード（契約情報）を取得する（ステップＳ８０２）。マニフェスト管理処理部４２は、契約情報に基づいてマニフェスト情報を生成する（ステップＳ８０３）。
【００６０】
付加情報マッチング処理部４１は、契約グループ情報に付加情報としてマニフェストの返却期限日情報をマッチングし（ステップＳ８０４）、契約グループ情報データベース３８に記憶されている契約グループ情報のレコードを更新する（ステップＳ８０５）。
マニフェスト管理処理部４２は、ユーザー端末１３に対して生成されたマニフェスト情報を送信する（ステップＳ８０６）。
期限管理処理部４３は、契約グループ情報データベース３８に更新された契約グループ情報のマニフェスト返却期限日フィールド等の期限管理を開始する（ステップＳ８０７）。
上記のように、本実施形態に係る廃棄物処理支援システムでは、契約グループ情報に基づいてマッチングされた契約情報に基づいて、マニフェストの発行や期限管理を容易に行うことができる。
なお、本実施形態において、管理サーバー１２が管理サーバーを構成し、ユーザー端末が複数のユーザー端末１３を構成する。
【００６１】
また、廃棄物情報登録／取得部３４、収集運搬業者情報登録／取得部３５および処理業者情報登録／取得処理部３６（ステップＳ１０１）が情報取得手段を構成し、契約グループ情報マッチング処理部３７（ステップＳ１０２）が契約グループ情報生成手段を構成し、契約グループ情報データベース３８が契約グループ情報記憶手段を構成し、契約グループ情報登録／取得部３９（ステップＳ１０６）が契約グループ情報取得送信手段を構成し、廃棄物情報選択／取得部５１（ステップＳ１０５）が廃棄物情報入力手段および廃棄物情報送信手段を構成し、契約グループ情報選択／取得部５２（ステップＳ１０７）が契約グループ情報出力手段および契約グループ情報選定送信手段を構成する。
【００６２】
また、付加情報マッチング処理部４１（ステップＳ１０８）が契約情報生成手段を構成し、マニフェスト管理処理部４２（ステップＳ１１１）がマニフェスト情報生成手段を構成し、廃棄依頼情報選択／取得部５３（ステップＳ１０７）が廃棄依頼情報送信手段を構成する。
期限管理処理部４３（ステップＳ１０９，Ｓ１１３）が期限情報送信手段を構成し、期限管理通知取得部５４（ステップＳ１０９，Ｓ１１３）が期限情報出力手段を構成する。
以上の実施形態で説明されたシステム構成、データベース定義、モジュールコンポーネント等については本発明が理解・実施できる程度に概略的に示したものにすぎない。また、各処理部における処理の動作内容、手順等についても例示にすぎない。
【００６３】
例えば、廃棄物情報、収集運搬業者情報、処理業者情報、廃棄物依頼情報にあっては、必要に応じて上記で説明した以外のフィールドが各レコードに追加されていても良い。また、契約グループ情報データベースに記憶される契約グループ情報にあっても、必要に応じて上記で説明した以外の管理情報等がマッチングされていても良い。
また、契約情報登録処理やマニフェスト発行処理を行う際、例えば各処理を実行する前に廃棄処理責任者が承認を行う処理を実行したり、別のデータベースからマニフェストの廃棄処理実績等の管理情報を取得してマニフェスト情報に盛り込んだり、契約情報やマニュフェストを管理する処理を追加することも可能である。
従って、本発明は、説明された実施形態のシステム、プログラムに限定されるものではなく、特許請求の範囲に示される技術的思想の範囲を逸脱しない限り様々な形態に変更することができる。
【産業上の利用可能性】
【００６４】
産業廃棄物を排出する生産工場をもつ事業所等において、既存のＬＡＮ等のネットワークを用いて産業廃棄物の排出処理を支援するための産業廃棄物処理支援システム、管理サーバーとして構築されたり、当該システム、管理サーバーを構築するための産業廃棄物処理支援プログラムとしてインストールされたりする。
【符号の説明】
【００６５】
１０                    廃棄物処理支援システム
１１                    ＬＡＮ
１２                    管理サーバー
１３−１〜１３−ｎ      ユーザー端末
２１                    バス
２２                    ＣＰＵ
２３                    入力装置
２４                    表示装置
２５                    主記憶装置
２６                    補助記憶装置
２７                    通信処理部
２８                    プリンタ
３１                    廃棄物情報データベース
３２                    収集運搬業者情報データベース
３３                    処理業者情報データベース
３４                    廃棄物情報登録／取得部
３５                    収集運搬業者情報登録／取得部
３６                    処理業者情報登録／取得処理部
３７                    契約グループ情報マッチング処理部
３８                    契約グループ情報データベース
３９                    契約グループ情報登録／取得部
４０                    廃棄依頼情報管理処理部
４１                    付加情報マッチング処理部
４２                    マニフェスト管理処理部
４３                    期限管理処理部
５１                    廃棄物情報選択／取得部
５２                    契約グループ情報選択／取得部
５３                    廃棄依頼情報選択／取得部
５４                    期限管理通知取得部
【図１】
2010231409.tif 000003
【図２】
2010231409.tif 000004
【図３】
2010231409.tif 000005
【図４】
2010231409.tif 000006
【図５】
2010231409.tif 000007
【図６】
2010231409.tif 000008
【図７】
2010231409.tif 000009
【図８】
2010231409.tif 000010
【図９】
2010231409.tif 000011
【図１０】
2010231409.tif 000012
【図１１】
2010231409.tif 000013
【図１２】
2010231409.tif 000014
【図１３】
2010231409.tif 000015
【図１４】
2010231409.tif 000016
【図１５】
2010231409.tif 000017
【図１６】
2010231409.tif 000018